(57)【要約】吸塵ドリル1は、切刃部20を形成したドリルチップ2と、該ドリルチップ2に接合され軸線を中心として回転するシャフト3を備え、該シャフト3の内部に切刃部20の回転により生じた塵芥を吸塵するための吸塵通路30を開設している。切刃部20はドリルチップ2の先端面に周方向に離間して複数設けられ、各切刃部20のすくい面22と逃げ面23との接合稜線から形成される複数の切り刃21は放射状に配置されて、ドリルチップ2の中心にて尖頭状のチゼルポイントＰを形成し、すくい面22又は逃げ面23には吸塵通路30に連通した吸塵孔24がチゼルポイントＰに接近して開設されている。
2016129268.tif 000002
【特許請求の範囲】
【請求項１】
先端部に切刃部を形成したドリルチップと、該ドリルチップに接合され軸線を中心として回転するシャフトを備え、該シャフトの内部に前記切刃部の回転により生じた塵芥を吸塵するための吸塵通路を開設した吸塵ドリルであって、
前記切刃部と前記ドリルチップとは、金属の一体加工によって形成されて、
前記切刃部は、前記ドリルチップの先端面に周方向に離間して複数設けられ、各切刃部に形成されるすくい面と逃げ面との接合稜線から形成される複数の切り刃は放射状に配置されて、前記ドリルチップの中心にて尖頭状のチゼルポイントを形成し、前記吸塵通路に連通した吸塵孔が、前記すくい面又は逃げ面にて前記チゼルポイントに接近して開設され、或いは前記すくい面及び逃げ面の接合稜線に掛って前記チゼルポイントに接近して開設されている、吸塵ドリル。
【請求項２】
前記吸塵通路は前記軸線と略平行に延びるように形成され、前記シャフトには、前記吸塵通路に連通し、前記吸塵通路内の塵芥を押し出すための除去用部材が挿入可能な補助通路が開設されている、請求項１に記載の吸塵ドリル。
【請求項３】
前記除去用部材は、長尺状のコイルバネから形成されて、前記補助通路に挿入された状態で中心軸を中心として回転駆動され、該コイルバネの巻き方向は回転駆動方向とは互いに逆である、請求項２に記載の吸塵ドリル。
【請求項４】
前記シャフトには、前記軸線を中心として回転し、該回転によって前記補助通路の閉塞と開放を切り換える補助通路塞ぎカバーが取り付けられる、請求項２又は３に記載の吸塵ドリル。
【請求項５】
前記シャフトには軸線に沿って前記ドリルチップから離間した箇所に、前記ドリルチップによって穿孔される下穴に被さる塵芥飛散防止カバーが着脱可能に取り付けられる、請求項１乃至４の何れかに記載の吸塵ドリル。
【請求項６】
前記ドリルチップから離間した箇所に、前記吸塵通路に連通する吸塵装置用アダプタが取り付けられる取付部が設けられ、
前記塵芥飛散防止カバーは、前記取付部又は前記吸塵装置用アダプタに着脱可能に取り付けられる、請求項５に記載の吸塵ドリル。
【請求項７】
前記塵芥飛散防止カバーは、前記ドリルチップを覆って下穴に被さる伸長状態と、前記ドリルチップを露出させる収縮状態との間を弾性変形可能に設けられた、請求項５又は６に記載の吸塵ドリル。
【請求項８】
前記シャフトには、前記ドリルチップの穿孔深さを規制する鍔体が設けられた、請求項１乃至７の何れかに記載の吸塵ドリル。
【請求項９】
先端部に切刃部を形成したドリルチップと、該ドリルチップに接合され軸線を中心として回転するシャフトを備え、該シャフトの内部に前記切刃部の回転により生じた塵芥を吸塵するための吸塵通路を開設した吸塵ドリルと、
該吸塵ドリルに着脱可能に取り付けられて、前記ドリルチップによって穿孔される下穴に被さる塵芥飛散防止カバーとを備えた、吸塵ユニット。
【発明の詳細な説明】
【技術分野】
【０００１】
本発明は、コンクリートや石材等の被穿孔物に穿孔作業を行う際に用いられ、穿孔時に生じる塵芥を吸塵する吸塵ドリル及び吸塵ユニットに関する。
【背景技術】
【０００２】
従来より、金属製のアンカーボルトをコンクリートや石材に埋め込む際に予め「アンカーボルト穴」と呼ばれる下穴を穿孔する場合が多い。かかる下穴は、その下穴内に埋め込まれるアンカーボルトに強固な耐引き抜き力を得るため、下穴内に存在する切削屑等の塵芥を、予め除去しておく必要がある。また、コンクリートや石材に対する穴開け作業において、粉塵を周囲に拡散しないように、作業環境に配慮することも要請されている。【０００３】
そのため、従前から穴の穿孔と同時に塵芥を除去する吸塵ドリルが提案されている(特許文献１参照)。これは、図１６に示すように、軸線Ｌを中心として回転するドリルシャフト３の先端面３aに、２つのスリット２９を形成し、各スリット２９に板状の切り刃２１を挿入して形成される。切り刃２１の先端面は、ドリルシャフト３の半径中心に向けて上向きに傾いている。ドリルシャフト３の先端面にて、スリット２９の側方には吸塵用の吸塵孔２４が開設されている。吸塵孔２４には吸塵装置(図示せず)が接続される。ドリルシャフト３が軸線Ｌを中心として回転し、切り刃２１にて被穿孔物に穿孔する際に発生する塵芥は吸塵孔２４を介して吸塵装置に吸塵される。
【先行技術文献】
【特許文献】
【０００４】
【特許文献１】米国特許第５９９６７１４号
【発明の概要】
【発明が解決しようとする課題】
【０００５】
特許文献１に記載のドリルシャフトでは、切り刃２１が板状であるから、吸塵孔２４は少なくとも切り刃２１の厚み分だけ、切り刃２１の頂部からずれている。従って、穿孔時に切り刃２１の先端部によって生じた塵芥が吸塵孔２４から十分に吸塵されない虞がある。
本発明の目的は、穿孔時に塵芥の吸塵効率を高めた吸塵ドリルを提供することにある。
【課題を解決するための手段】
【０００６】
本発明に係る吸塵ドリルは、先端部に切刃部を形成したドリルチップと、該ドリルチップに接合され軸線を中心として回転するシャフトを備え、該シャフトの内部に切刃部の回転により生じた塵芥を吸塵するための吸塵通路を開設し、
前記切刃部と前記ドリルチップとは、金属の一体加工によって形成されて、
前記切刃部は、前記ドリルチップの先端面に周方向に離間して複数設けられ、各切刃部に形成されるすくい面と逃げ面との接合稜線から形成される複数の切り刃は放射状に配置されて、前記ドリルチップの中心にて尖頭状のチゼルポイントを形成し、前記吸塵通路に連通した吸塵孔が、前記すくい面又は逃げ面にて前記チゼルポイントに接近して開設され、或いは前記すくい面又は逃げ面の接合稜線に掛って前記チゼルポイントに接近して開設されている。【０００７】
また、前記吸塵通路は前記軸線と略平行に延びるように形成され、前記シャフトには、前記吸塵通路に連通し、前記吸塵通路内の塵芥を押し出すための除去用部材が挿入可能な補助通路が開設されている。
【発明の効果】
【０００８】
１．切刃部とドリルチップはともに金属製であって、一体に形成されているから、切刃部を構成するすくい面又は逃げ面に吸塵孔をチゼルポイントに接近して設けることが出来る。これにより、穿孔時にチゼルポイントによる塵芥が吸塵孔に効率よく吸引される。また、チゼルポイントは尖頭状であるから、穿孔時に被穿孔物とは点接触する。これにより吸塵ドリルの芯振れを防ぐことが出来る。
２．吸塵ドリルの使用時に、吸塵通路内に塵芥等が詰まる場合がある。この場合は、補助通路から除去用部材を挿入して、該除去用部材の先端を吸塵通路内に入れる。除去用部材の先端にて吸塵通路内に詰まった塵芥等を押し出すことにより、該塵芥等を吸塵通路から容易に除去することができる。
【図面の簡単な説明】
【０００９】
【図１】吸塵ドリルの平面図である。
【図２】図１に示す吸塵ドリルの一部をＡ-Ａ線を含む面にて破断した正面図である。
【図３】図２の吸塵ドリルをＢ方向から見た断面図である。
【図４】他の吸塵ドリルの平面図である。
【図５】他の吸塵ドリルの平面図である。
【図６】吸塵装置用アダプタを取り付けた吸塵ドリルに塵芥飛散防止カバーを取り付けた状態の断面図である。
【図７】塵芥飛散防止カバーの使用時の状態を示す図である。
【図８】他の吸塵ドリルの正面図である。
【図９】被穿孔物が天井壁である場合の穿孔動作を示す図である。
【図１０】(a)、(b)は、除去用部材を示す断面図である。
【図１１】除去用部材の変形例を示す図である。
【図１２】除去用部材の変形例を示す図である。
【図１３】他の吸塵ドリルの平面図である。
【図１４】補助通路塞ぎカバーを取り付けた吸塵ドリルの側面断面図である。
【図１５】(a)は補助通路塞ぎカバーの側面断面図、(b)は(a)をＣ方向から見た図である。
【図１６】従来技術の吸塵ドリルを示す斜視図である。
【発明を実施するための形態】
【００１０】
(第１の実施形態)
以下、本発明の実施形態を、図を用いて詳述する。なお、以下の記載では全ての図面において、同一又は相当部分には同一符号を付し、重複する説明を省略する。
【００１１】
図１は、本実施形態に係る吸塵ドリルの平面図、図２は、その一部をＡ-Ａ線を含む面にて破断した正面図、図３は、図２の吸塵ドリルをＢ方向から見た断面図である。吸塵ドリル１は、先端部に切刃部２０を形成したドリルチップ２と、該ドリルチップ２に接合され軸線Ｌに沿って延びた断面が円形のシャフト３と、該シャフト３と連続して設けられ断面が正多角形のシャンク部９とを備えている。シャンク部９が電動ドリル装置(図示せず)に取り付けられて、吸塵ドリル１は軸線Ｌを中心として回転する。以下の記載では、吸塵ドリル１にてドリルチップ２が設けられた方を前方、シャンク部９が設けられた方を後方とする。ドリルチップ２とシャフト３はともに金属製であって、電気抵抗による溶着、ろう付け溶接、レーザ溶接等の接合手法によって接合される。
【００１２】
従来と同様に、吸塵ドリルを用いてコンクリート壁のような被穿孔物に穿孔する際には、ドリルチップ２の切刃部２０を被穿孔物Ｈに当てて、吸塵ドリル１を軸線Ｌを中心として回転させる。シャフト３内には、切刃部２０の回転により生じた塵芥を吸塵するための吸塵通路３０が軸線Ｌに沿って延びるように開設されている。シャフト３内にて吸塵通路３０の基端部には、吸塵通路３０に直交した吸塵除去通路３４が設けられ、該吸塵除去通路３４はシャフト３の側面に開口している。
【００１３】
切刃部２０は、ドリルチップ２の先端面に周方向に離間して略等間隔に３つ設けられ、該３つの切刃部２０はドリルチップ２に、超硬金属の一体加工によって形成されている。切刃部２０は吸塵ドリル１の回転方向Ｒの前方にすくい面２２を、回転方向Ｒの後方に逃げ面２３を周知の如く形成しており、該すくい面２２と逃げ面２３との接合稜線は尖った切り刃２１を形成する。切り刃２１はドリルチップ２の中心から放射状に形成され、ドリルチップ２の中心にて最も高い尖頭状のチゼルポイントＰを形成している。つまり、各切り刃２１はチゼルポイントＰからドリルチップ２の半径方向外向きに緩やかに傾斜している。１つのすくい面２２又は逃げ面２３には、シャフト３の吸塵通路３０に連通した吸塵孔２４がチゼルポイントＰに接近して開設されている。ドリルチップ２が超硬金属製であるから、吸塵孔２４はドリルチップ２の成形時に同時に設けられる。また、吸塵孔２４は切削、放電加工等によって開設されてもよい。
【００１４】
シャフト３の周面には嵌合凹部３３が設けられ、シャフト３の周面には該嵌合凹部３３に被さるように、合成樹脂製の吸塵装置用アダプタ４が嵌められる。即ち、シャフト３の周面の一部が本発明の「取付部」を構成する。該吸塵装置用アダプタ４には、吸塵除去通路３４に連通する透孔４２が開設され、該透孔４２が掃除機等の吸塵装置(図示せず)に接続される。吸塵装置用アダプタ４の内面からは、嵌合突起４３が内向きに突出し、該嵌合突起４３がシャフト３の嵌合凹部３３に嵌まって、吸塵装置用アダプタ４がシャフト３から抜け出ることを防いでいる。シャフト３にて鍔体３１よりも後方には、吸塵通路３０に対して斜め向きに開設されて吸塵通路３０に連通する補助通路３２が開設されている。この補助通路３２の役割は後記する。
(穿孔動作)
吸塵ドリル１を用いてコンクリート壁のような被穿孔物Ｈに穿孔する際には、先ずシャフト３の周面上に吸塵装置用アダプタ４を取り付ける。ドリルチップ２のチゼルポイントＰを被穿孔物Ｈに当てて、電動ドリル装置を駆動して、吸塵ドリル１を軸線Ｌを中心として回転させる。チゼルポイントＰは尖頭状であるから、穿孔時に被穿孔物Ｈとは点接触する。これにより吸塵ドリル１の芯振れを防ぐことが出来る。つまり、ドリルチップ２の先端は線状又は面状であれば、吸塵ドリル１の回転時に芯振れすることがあるが、本実施形態に係る吸塵ドリル１にあっては、この虞は少ない。
【００１５】
吸塵ドリル１の回転に合わせて、吸塵装置を駆動する。切り刃２１が切削することによる塵芥は、吸塵孔２４から吸塵通路３０、吸塵除去通路３４、透孔４２を通って吸塵装置に吸塵される。切刃部２０はドリルチップ２に、金属の一体加工によって形成されているから、吸塵孔２４をチゼルポイントＰに接近して設けることが出来る。これにより、穿孔時にチゼルポイントＰ及び切り刃２１による塵芥が吸塵孔２４に効率よく吸引される。
【００１６】
吸塵ドリル１を回転させながら被穿孔物Ｈに対し押し進めると、所定深さの下穴が開設される。この穿孔時において、吸塵通路３０内に塵芥等が固まって詰まる場合がある。塵芥等が詰まると吸塵効果が十分に達成されない。
【００１７】
この場合は、一旦吸塵ドリル１の回転を停止し、補助通路３２から後記するように長尺状の除去用部材を挿入して、該除去用部材の先端を吸塵通路３０内に入れる。除去用部材の先端にて吸塵通路３０内に詰まった塵芥等を崩して押し出すことにより、該塵芥等を吸塵通路３０から容易に除去することができる。即ち、崩れて押し出された塵芥は吸塵除去通路３４、透孔４２を通って吸塵装置に吸塵される。この場合、吸塵孔２４から除去用部材を挿入することも考えられるが、これでは一旦吸塵ドリル１を下穴から抜かなくてはならない。補助通路３２をシャフト３に設けていることにより、吸塵ドリル１を下穴から抜き出さなくても、吸塵通路３０内に詰まった塵芥等を除去することが出来る。補助通路３２から除去用部材を挿入し、塵芥等を除去しながら、同時に吸塵装置にて塵芥等を吸引すると、塵芥等を除去し易く効率的である。
【００１８】
上記実施形態では、ドリルチップ２に３つの切刃部２０が設けられているとしたが、切刃部２０は３つに限定されない。例えば、図４に示すように、チゼルポイントＰを中心として切刃部２０を放射状に５つ設けても、図５に示すように、チゼルポイントＰを中心として切刃部２０を放射状に６つ設けてもよい。また、吸塵孔２４はすくい面２２又は逃げ面２３に１つ開設されているとしたが、図４及び図５に示すように、２つ開設しても、或いは３つ以上開設してもよい。
(第２の実施形態)
下穴の穿孔時に生じる塵芥は、全て吸塵ドリル１に吸塵されず、一部は下穴の周囲に飛散する。図１に示す吸塵ドリル１及び従来の吸塵ドリルではこの下穴の周囲に飛散した塵芥までは十分に吸引されない。このため、下穴の周囲にまで粉塵が飛散し、悪影響を及ぼす問題があった。本発明者はこの点に鑑みて、吸塵ドリルに塵芥飛散防止カバーを着脱自在に取り付けることを着想した。
【００１９】
図６は、吸塵装置用アダプタ４を取り付けた吸塵ドリル１に塵芥飛散防止カバー５を取り付けた状態の断面図であり、図７は、塵芥飛散防止カバー５の使用時の状態を示す。吸塵装置用アダプタ４は第１筒体４０と該第１筒体４０から斜めに延びて内部に透孔４２が開設された第２筒体４１とを備えている。
【００２０】
塵芥飛散防止カバー５は合成樹脂又はゴム材から形成されて、平面視が環状であり、中心部から半径方向外向きに蛇腹状に形成されている。塵芥飛散防止カバー５は、中央部に第１筒体４０の外周に嵌まる開口５０を開設している。該開口５０の内壁には突部５１が設けられ、吸塵装置用アダプタ４の外周にて突部５１に対応する箇所には凹み４４が設けられている。
【００２１】
塵芥飛散防止カバー５は吸塵ドリル１の先端側から嵌められて、開口５０が鍔体３１及び第１筒体４０の外周に接した状態で、突部５１が凹み４４に嵌まる。塵芥飛散防止カバー５は吸塵ドリル１に当初取り付けられた状態では図６に示すように、シャフト３に直交する面内に位置して横向きの姿勢となっており、これを収縮状態とする。収縮状態ではドリルチップ２は露出しており、ドリルチップ２のチゼルポイントＰを被穿孔物Ｈの目的箇所に当てることができる。収縮状態にある塵芥飛散防止カバー５の周縁部を使用者が手で前方に押すと、塵芥飛散防止カバー５の弾性力によって、塵芥飛散防止カバー５は図７に示すように、前向きに延びる。この状態を伸長状態とし、かかる伸長状態では塵芥飛散防止カバー５はドリルチップ２を覆う。即ち、図７に示すように、伸長状態では塵芥飛散防止カバー５の前端は、ドリルチップ２よりも前方に位置し、穿孔すべき下穴に被さることが出来る。
【００２２】
吸塵ドリル１にて穿孔時には、塵芥飛散防止カバー５を収縮状態に設定して、ドリルチップ２のチゼルポイントＰを被穿孔物Ｈの目的箇所に当てた後に、収縮状態の塵芥飛散防止カバー５を伸長状態にする。塵芥飛散防止カバー５の前端が被穿孔物Ｈに接する。
【００２３】
図８は、他の吸塵ドリル１を示す正面図である。シャフト３の周面上にて吸塵除去通路３４とドリルチップ２の間には、ドリルチップ２の穿孔深さを規制するための鍔体３１が設けられている。シャフト３の周面には、前端部が鍔体３１に接するように、前記の吸塵装置用アダプタ４が嵌められる。即ち、シャフト３の周面にて鍔体３１及び鍔体３１の後側箇所が本発明の「取付部」を構成する。
【００２４】
図９は、被穿孔物Ｈが天井壁である場合の穿孔動作を示す図である。吸塵ドリル１を回転させながら押し進めると、吸塵孔２４から塵芥を吸塵していても、塵芥の一部は下穴から外向きに飛散する。しかし、伸長状態の塵芥飛散防止カバー５が下穴に被さるから、下穴穿孔時に飛散する塵芥は塵芥飛散防止カバー５内に収まり、該塵芥飛散防止カバー５の外側に飛散することが防止される。これにより、飛散する塵芥が下穴の周囲に与える悪影響を緩和することが出来る。また、飛散する塵芥は天井壁の下側で穿孔作業を行う作業者に当たらない。
【００２５】
また、塵芥飛散防止カバー５は弾性を有するから、下穴の穿孔時に、吸塵ドリル１を押し進めると、塵芥飛散防止カバー５はこれに伴って、図９に示すように、開口５０の周縁部が収縮するように変形する。従って、塵芥飛散防止カバー５は吸塵ドリル１の前進を邪魔しない。
【００２６】
穿孔終了後には、吸塵ドリル１を下穴から抜き出して、塵芥飛散防止カバー５を手で収縮状態に押し戻せば、次の下穴穿孔動作に移ることが出来る。尚、吸塵ドリル１から塵芥飛散防止カバー５を外す場合は、突部５１を凹み４４から抜出し、塵芥飛散防止カバー５を鍔体３１との摩擦に抗して前向きに引っ張ればよい。
【００２７】
吸塵ドリル１に塵芥飛散防止カバー５を取り付けて、吸塵ユニット７が構成される(図９参照)。この吸塵ユニット７を構成する吸塵ドリル１は図１に示すように、吸塵孔２４がチゼルポイントＰに接近した吸塵ドリル１でなくともよい。即ち、図１６に示す従来技術の吸塵ドリル１にあっても、吸塵ユニット７を構成することは可能である。また、吸塵ドリル１にはシャフト３の吸塵通路３０の先端がシャフト３の側面に開口したものもあるが、そのような吸塵ドリル１にあっても、吸塵ユニット７を構成することは可能である。
(除去用部材)
上記にて、補助通路３２から除去用部材を挿入して、吸塵通路３０内に詰まった塵芥等を崩して押し出すとした。図１０(a)、(b)は、この除去用部材８を示す断面図である。除去用部材８は一方向に延びた長尺状のコイルバネから形成されて、該補助通路３２の内径よりも少し小さな外径を有する。除去用部材８は補助通路３２に挿入されて、吸塵通路３０と補助通路３２との交点にて屈曲した後に吸塵通路３０に入る。除去用部材８は、吸塵通路３０内の塵芥等を崩して押し出さなければならないから、塵芥等に接触して容易に変形してはならない。この理由から、除去用部材８を変形可能且つ剛性を有するように、所定以上の線径を有するコイルバネから形成している。図１０(a)、(b)に示す実施形態では、除去用部材８は基端部から見て左巻きに形成されている。
【００２８】
図１０(b)に示すように、除去用部材８を補助通路３２に挿入して、吸塵通路３０と補助通路３２との交点を通った後に、先端部を吸塵通路３０に入れる。この状態で、除去用部材８の基端部に回転電動機１００を取り付け、除去用部材８を長手方向に延びた中心軸Ｌ１の周りに基端部から見て右回りに回転させる。除去用部材８は左巻きのコイルバネであるから、除去用部材８を右回転させることにより、除去用部材８はコイルバネが密着するように縮まる。これにより、除去用部材８の剛性を更に高めることが出来、吸塵通路３０内の塵芥を除去し易くなる。即ち、除去用部材８のコイルバネの巻き方向が回転電動機１００の回転駆動方向とは互いに逆であればよい。例えば、除去用部材８は右巻きのコイルバネで、除去用部材８を左回転させてもよい。
(除去用部材の変形例)
図１１に示すように、除去用部材８の補助通路３２への挿入側端部、即ち先端部に該先端部以外の箇所よりも巻き径が小さな縮径部８０を設けてもよい。これにより、除去用部材８は補助通路３２へ挿入し易くなる。また、先端が縮径部８０となっているので、塵芥等に食い込み易く、塵芥等を除去し易い。
また、図１２に示すように、除去用部材８の先端部に先が尖った金属製の尖頭部材８１を設けてもよい。除去用部材８とともに該尖頭部材８１を回転させて、吸塵通路３０内の塵芥に食い込ませることにより、塵芥を崩して押し出し易くなる。
【００２９】
本実施形態に係る吸塵ドリル１及び吸塵ユニット７にあっては、以下の効果がある。
１．切刃部２０はドリルチップ２に、金属の一体加工によって形成されているから、切刃部２０を構成するすくい面２２又は逃げ面２３に吸塵孔２４をチゼルポイントＰに接近して設けることが出来る。これにより、穿孔時にチゼルポイントＰによる塵芥が吸塵孔２４に効率よく吸引される。また、チゼルポイントＰは尖頭状であるから、穿孔時に被穿孔物とは点接触する。これにより吸塵ドリル１の芯振れを防ぐことが出来る。
２．吸塵ドリル１の使用時に、吸塵通路３０内に塵芥等が詰まった場合は、補助通路３２から除去用部材を挿入して、該除去用部材の先端を吸塵通路３０内に入れる。除去用部材の先端にて吸塵通路３０内に詰まった塵芥等を押し出すことにより、該塵芥等を吸塵通路３０から容易に除去することができる。
３．穿孔時には、吸塵孔２４から塵芥を吸塵していても、塵芥の一部は下穴から外向きに飛散する。しかし、塵芥飛散防止カバー５が下穴に被さるから、下穴穿孔時に飛散する塵芥は塵芥飛散防止カバー５内に収まり、該塵芥飛散防止カバー５の外側に飛散することが防止される。これにより、飛散する塵芥が下穴の周囲に与える悪影響を緩和することが出来る。
【００３０】
上記実施形態では、吸塵孔２４がすくい面２２又は逃げ面２３にてチゼルポイントＰに接近して開設されているとした。しかし、これに代えて、図１３に示すように、吸塵孔２４をすくい面２２と逃げ面２３との接合稜線Ｍ(即ち、切り刃２１)に掛ってチゼルポイントＰに接近して開設してもよい。
【００３１】
更に、図１４に示すように、吸塵装置用アダプタ４の後方にてシャフト３又はシャンク部９上に、補助通路塞ぎカバー６を設けてもよい。これは、図１５(a)、(b)に示すように、一側部に補助通路３２に対向する１か所の通過孔６０を開設したカバーであり、軸線Ｌを中心としてシャフト３又はシャンク部９上で回転させることができる。図１４に示すように、通過孔６０を補助通路３２に対向させた状態で、除去用部材８を通過孔６０を介して補助通路３２に挿入することが出来る。図１４に示す状態から、補助通路塞ぎカバー６を軸線Ｌを中心として回転させ、通過孔６０と補助通路３２との対向状態を解除すれば、補助通路３２を閉塞することが出来る。
【００３２】
吸塵ドリル１の通常使用時であって、除去用部材８を使用しない際には、通過孔６０が補助通路３２と対向しないように、補助通路塞ぎカバー６をシャフト３又はシャンク部９に取り付ける。これを閉塞状態とする。この閉塞状態で、透孔４２に吸塵装置に取り付ければ、補助通路３２が塞がれているから、該吸塵装置の塵芥吸引力が低下することは無い。除去用部材８を使用する際には、前記の如く、補助通路塞ぎカバー６を軸線Ｌを中心として回転させ、通過孔６０を補助通路３２に対向させればよい。これを開放状態とする。
【００３３】
尚、補助通路塞ぎカバー６の材質は限定されない。しかし、例えば補助通路塞ぎカバー６を吸塵ドリル１との摩擦係数が大きなゴムで形成すれば、吸塵ドリル１の使用時に補助通路塞ぎカバー６が簡単に回転せず使い易い利点がある。通過孔６０は補助通路塞ぎカバー６に１か所設けられているとしたが、補助通路３２を閉塞させることが出来れば、複数設けてもよい。
【産業上の利用可能性】
【００３４】
本発明は、コンクリートや石材等の被穿孔物に穿孔作業を行う際に用いられ、穿孔時に生じる塵芥を吸塵する吸塵ドリル及び吸塵ユニットに適用すると有用である。
【符号の説明】
【００３５】
１    吸塵ドリル
２    ドリルチップ
３    シャフト
４    吸塵装置用アダプタ
５    塵芥飛散防止カバー
６    補助通路塞ぎカバー
７    吸塵ユニット
８    除去用部材
２０  切刃部
２１  切り刃
２２  すくい面
２３  逃げ面
２４  吸塵孔
３０  吸塵通路
３２  補助通路
【図１】
2016129268.tif 000003
【図２】
2016129268.tif 000004
【図３】
2016129268.tif 000005
【図４】
2016129268.tif 000006
【図５】
2016129268.tif 000007
【図６】
2016129268.tif 000008
【図７】
2016129268.tif 000009
【図８】
2016129268.tif 000010
【図９】
2016129268.tif 000011
【図１０】
2016129268.tif 000012
【図１１】
2016129268.tif 000013
【図１２】
2016129268.tif 000014
【図１３】
2016129268.tif 000015
【図１４】
2016129268.tif 000016
【図１５】
2016129268.tif 000017
【図１６】
2016129268.tif 000018
【国際調査報告】
2016129268.tif 000019
2016129268.tif 000020
2016129268.tif 000021
2016129268.tif 000022